(57)【要約】【課題】フックの基端部近傍の孔部から液体が侵入する可能性を低減するテープ印字装置を提供する。【解決手段】テープ印字装置は、カセット装着部８を備えている。カセット装着部８の壁部７０が備える反対面７０２には、アーチ状に立設された一対のフック７３１，７３２が立設されている。壁部７０には、フック７３１，７３２のそれぞれにおける２つの基端部の間の中心から、一対のフック７３１，７３２の間に向かう方向である内側方向と、内側方向の反対方向である外側方向とに延びる矩形孔８４１，８４２が形成されている。フック７３１，７３２の外側方向側には、フック７３１，７３２に近接する突出壁５３３，５３４が配置されている。フック７３１，７３２に保持される検出スイッチユニット３１３と突出壁５３３，５３４とは、夫々、矩形孔８４１，８４２の少なくとも一部を塞ぐ。【選択図】図９
2014231190.tif 000002
【特許請求の範囲】
【請求項１】
印字媒体となるテープを収納したテープカセットが装着されるカセット装着部と、
前記カセット装着部の底面を形成する壁部と、
前記壁部における前記底面の反対面にアーチ状に立設された一対のフックと、
前記壁部に形成され、前記アーチ状の前記一対のフックの夫々における２つの基端部の間の中心から、前記一対のフックの間に向かう方向である内側方向と、前記内側方向の反対方向である外側方向とに延びる孔部と、
前記一対のフックの間で保持され、前記テープカセットの種類を検出する検出端子が前記壁部を介して前記カセット装着部側に突出する検出スイッチユニットと、
前記一対のフックの前記外側方向側に設けられて前記フックに当接又は近接する一対の突出部を有する部材と
を備え、
前記突出部と前記検出スイッチユニットとは、夫々、前記孔部の少なくとも一部を塞ぐことを特徴とするテープ印字装置。
【請求項２】
前記検出スイッチユニットに接続されたハーネスをさらに備え、
前記フックの前記基端部から先端部に向かう方向である立設方向において、前記突出部の前記立設方向側の端部の位置は、前記フックの先端よりも前記立設方向側に位置し、
前記ハーネスは、前記一対の突出部の間を前記検出スイッチユニットから前記立設方向に延びることを特徴とする請求項１に記載のテープ印字装置。
【請求項３】
前記部材は、前記検出スイッチユニットより前記立設方向側に位置して前記ハーネスを案内する案内部をさらに備えたことを特徴とする請求項２に記載のテープ印字装置。
【請求項４】
前記部材は、電池ケースであり、
前記突出部は前記電池ケースにおける電池が装着される面の反対面側に設けられていることを特徴とする請求項１から３のいずれかに記載のテープ印字装置。
【発明の詳細な説明】
【技術分野】
【０００１】
本発明は、印字媒体となるテープに印字を行うテープ印字装置に関する。
【背景技術】
【０００２】
従来、印字媒体となるテープに印字を行うテープ印字装置が知られている。例えば、特許文献１に記載のテープ印字装置は、テープが収納されたカセットを着脱可能な収納部を備えている。カセットの角部の底面には、テープの幅寸法等により予め位置が設定された複数の被検出部が設けられている。収納部におけるカセットの角部に対応する位置には、複数の検出スイッチが配置されている。検出スイッチの本体は、収納部の底面を形成する底面壁の下側に配置され、その検出用の端子が、収納部内部に向けて上方に突出している。収納部にカセットが装着されると、被検出部に対応する検出スイッチのオン・オフの組み合わせにより、テープの幅及び種類が判別される。
【先行技術文献】
【特許文献】
【０００３】
【特許文献１】特開平７−６８８１４号公報
【発明の概要】
【発明が解決しようとする課題】
【０００４】
複数の検出スイッチは、例えば、基板等に実装され、底面壁から下側（装着部側の反対側）に向かって延びるフックによって保持される場合がある。この場合、フックを金型で形成するために、金型が配置される孔部が、底面壁におけるフックの基端部近傍に形成される。孔部が底面壁に形成されると、収納部に液体が浸入した場合に、底面壁の孔部を通って液体がテープ印字装置のさらに内部に侵入し、例えば電気回路が実装された基板等、テープ印字装置の内部の部品に液体が接触する場合がある。
【０００５】
本発明の目的は、フックの基端部近傍の孔部から液体が侵入する可能性を低減するテープ印字装置を提供することである。
【課題を解決するための手段】
【０００６】
本発明に係るテープ印字装置は、印字媒体となるテープを収納したテープカセットが装着されるカセット装着部と、前記カセット装着部の底面を形成する壁部と、前記壁部における前記底面の反対面にアーチ状に立設された一対のフックと、前記壁部に形成され、前記アーチ状の前記一対のフックの夫々における２つの基端部の間の中心から、前記一対のフックの間に向かう方向である内側方向と、前記内側方向の反対方向である外側方向とに延びる孔部と、前記一対のフックの間で保持され、前記テープカセットの種類を検出する検出端子が前記壁部を介して前記カセット装着部側に突出する検出スイッチユニットと、前記一対のフックの前記外側方向側に設けられて前記フックに当接又は近接する一対の突出部を有する部材とを備え、前記突出部と前記検出スイッチユニットとは、夫々、前記孔部の少なくとも一部を塞ぐ。この場合、突出部と検出スイッチユニットとは、夫々、孔部の少なくとも一部を塞ぐ。このため、フックの基端部近傍の孔部から液体が侵入する可能性を低減することができる。
【０００７】
前記テープ印字装置において、前記検出スイッチユニットに接続されたハーネスをさらに備え、前記フックの前記基端部から先端部に向かう方向である立設方向において、前記突出部の前記立設方向側の端部の位置は、前記フックの先端よりも前記立設方向側に位置し、前記ハーネスは、前記一対の突出部の間を前記検出スイッチユニットから前記立設方向に延びてもよい。この場合、ハーネスが一対の突出部の間を延びるので、一対の突出部は、立設方向に直交する方向へのハーネスの移動を規制することができる。よって、ハーネスが立設方向に案内される。
【０００８】
前記テープ印字装置において、前記部材は、前記検出スイッチユニットより前記立設方向側に位置して前記ハーネスを案内する案内部をさらに備えてもよい。この場合、案内部によってハーネスを適切に案内することができる。また、突出部と案内部とが部材に設けられているので、案内部と突出部とを別体で形成する場合に比べてコストダウンすることができる。
【０００９】
前記テープ印字装置において、前記部材は、電池ケースであり、前記突出部は前記電池ケースにおける電池が装着される面の反対面側に設けられていてもよい。この場合、電池ケースに突出部が設けられているので、突出部と電池ケースとを別体で形成する場合に比べてコストダウンすることができる。
【図面の簡単な説明】
【００１０】
【図１】テープ印字装置１及びテープカセット３０の斜視図である。
【図２】上カバー２０１、下カバー２０２、及び電池ケース５３の分解斜視図である。
【図３】テープ印字装置１の平面図である。
【図４】テープカセット３０が装着されたカセット装着部８の平面図である。
【図５】検出スイッチユニット３１３の周辺構造を示す斜視図である。
【図６】検出スイッチユニット３１３及び突出壁５３３，５３４が取り外された状態の後方支持面７０１の平面図である。
【図７】検出スイッチユニット３１３及び突出壁５３３，５３４が取り外された状態の反対面７０２の周辺構造を示す斜視図である。
【図８】検出スイッチユニット３１３及び突出壁５３３，５３４が装着された状態の後方支持面７０１の平面図である。
【図９】図８のＩ−Ｉ線矢視方向断面図である。
【図１０】検出スイッチユニット３１３の周辺構造の分解斜視図である。
【図１１】フック７３１，７３２を金型の駒９６で形成する様子を示す図である。
【発明を実施するための形態】
【００１１】
本発明を具体化した実施の形態について、図面を参照して説明する。本実施形態の説明では、図１の右下側、左上側、左下側、右上側、上側、下側を、それぞれテープ印字装置１及びテープカセット３０の前側、後側、左側、右側、上側、下側とする。なお、テープ印字装置１及びテープカセット３０の前後左右上下の方向は、便宜上定義されたものであり、テープ印字装置１及びテープカセット３０は、必ずしも、図１に示すように上側が上方を向いた姿勢にあるとは限らない。また、図３において、テープ印字装置１は、カセットカバー６が取り除かれた状態である。図４において、カセット装着部８に装着されているテープカセット３０は、上ケース３１１が取り外された状態である。
【００１２】
本実施形態では、テープカセット３０に収納される各種テープ（例えば、感熱紙テープ、後述する印字テープ５７、両面粘着テープ、チューブテープ、フィルムテープ）を、総称してテープという。テープカセット３０に収納されるテープの種類（例えば、テープ幅、印字態様、テープの色、文字色など）を、総称してテープ種類という。
【００１３】
テープ印字装置１について説明する。テープ印字装置１は、１台でサーマルタイプ、レセプタタイプ、ラミネートタイプ、チューブタイプ等、各種のテープカセットが使用可能な汎用のテープ印字装置である。サーマルタイプのテープカセットは、感熱紙テープを備えている。レセプタタイプのテープカセットは、印字テープとインクリボンとを備えている。ラミネートタイプのテープカセットは、両面粘着テープとフィルムテープとインクリボンとを備えている。チューブタイプのテープカセットは、熱収縮可能なチューブテープとインクリボンとを備えている。
【００１４】
図１及び図２に示すように、テープ印字装置１は、略直方体形状の本体カバー２を備えている。本体カバー２は、本体カバー２の上部を形成する上カバー２０１と下部を形成する下カバー２０２とを含む。図１に示すように、本体カバー２前面には、テープ印字装置１の電源スイッチ等、テープ印字装置１を操作するための３つのスイッチ３が配置されている。本体カバー２の右面には、ＵＳＢ（Ｕｎｉｖｅｒｓａｌ  Ｓｅｒｉａｌ  Ｂｕｓ）ジャック（図示外）等が配置されている。テープ印字装置１は、ＵＳＢジャックに接続されたＵＳＢケーブル（図示外）等を介してパーソナルコンピュータ（図示外。以下、ＰＣという。）に接続される。テープ印字装置１はＰＣから送信されるキャラクタ（文字、数字、図形等）のデータに基づいて、印字媒体となるテープにキャラクタの印字を行う。
【００１５】
テープ印字装置１の上面には、テープカセット３０の交換時に開閉されるカセットカバー６が設けられている。カセットカバー６は、平面視略長方形状の蓋部である。カセットカバー６は、本体カバー２の背面上方の左右両端部で軸支され、閉鎖位置（図示外）と、図１に示す開放位置との間で回動可能である。本体カバー２の内部には、テープカセット３０を着脱可能な領域であるカセット装着部８が設けられている。カセット装着部８は、カセットカバー６が閉鎖位置にあるときに被覆され、カセットカバー６が開放位置にあるときに露出する。本体カバー２の左側面には、排出スリット１１１が設けられている。排出スリット１１１は、印字済みのテープをカセット装着部８から排出する。
【００１６】
カセットカバー６下の本体カバー２の内部構造について説明する。図１及び図３に示すように、カセット装着部８は、キャビティ８０、角支持面８３、及び後方支持面７０１を含む。キャビティ８０は、カセットケース３１の底面３０２の形状と略対応するように凹設された凹部である。角支持面８３は、カセット装着部８の右後部、左後部、右前部に設けられている（図３参照）。後方支持面７０１は、カセット装着部８の後部の左右方向中央に設けられている。角支持面８３及び後方支持面７０１は、キャビティ８０の外縁から水平に延びる平面である。テープカセット３０がカセット装着部８に装着された場合、角支持面８３はテープカセット３０の角部の下面を支持し、後方支持面７０１はテープカセット３０の後方凹部壁３６０（図４参照）を支持する。
【００１７】
後方支持面７０１には、５つのスイッチ端子３１７が設けられている（図８参照）。スイッチ端子３１７は、後方支持面７０１の上方に突出している。テープカセット３０がカセット装着部８に装着されると、スイッチ端子３１７はテープカセット３０の底面３０２側（詳細には、図４に示す後方凹部壁３６０）と対向する。後方支持面７０１の周辺構造の詳細については後述する。
【００１８】
カセット装着部８の前部には、ヘッドホルダ７４が立設されている。ヘッドホルダ７４は、左右方向に延びる１枚の板状部材で形成されている。ヘッドホルダ７４の前面には、発熱体（図示せず）を備えるサーマルヘッド１０（図３参照）が設けられている。ヘッドホルダ７４の後方には、リボン巻取軸９５が立設されている。リボン巻取軸９５は、テープカセット３０のリボン巻取スプール４４（図１参照）に着脱可能な軸体である。ヘッドホルダ７４の左方には、テープ駆動軸１００が立設されている。テープ駆動軸１００は、テープカセット３０のテープ駆動ローラ４６（図１参照）に着脱可能な軸体である。テープ駆動軸１００の右後方には、補助軸１１０が立設されている。補助軸１１０は、テープカセット３０の第一テープ支持孔６５（図１参照）に着脱可能な軸体である。右後部の角支持面８３の左側には、ガイド軸１２０が立設されている。ガイド軸１２０は、テープカセット３０のガイド孔４７（図４参照）に着脱可能な軸体である。カセット装着部８の下側には、ステッピングモータであるテープ駆動モータ（図示外）が配置されている。リボン巻取軸９５及びテープ駆動ローラ４６は、複数のギア（図示外）を介してテープ駆動モータに接続されており、テープ駆動モータの駆動に伴って回転する。
【００１９】
図示しないが、ヘッドホルダ７４の前側には、左右方向に延びるアーム状のプラテンホルダが配置されている。プラテンホルダは、軸支部１２１を中心に揺動可能に軸支されている。プラテンホルダの左端部には、プラテンローラ及び可動搬送ローラが回転可能に軸支されている。プラテンローラは、サーマルヘッド１０に相対して、サーマルヘッド１０と接離可能である。可動搬送ローラは、テープ駆動軸１００に装着されているテープ駆動ローラ４６に相対して、テープ駆動ローラ４６と接離可能である。カセットカバー６が閉鎖されるとプラテンホルダが印字位置に向けて移動する。印字位置では、プラテンホルダがカセット装着部８に近接する。具体的には、レセプタタイプのテープカセット３０がカセット装着部８に装着されている場合、プラテンローラが印字テープ５７とインクリボン６０とを介してサーマルヘッド１０を押圧する。同時に、可動搬送ローラが印字テープ５７を介してテープ駆動ローラ４６を押圧する。リボン巻取軸９５、テープ駆動ローラ４６、プラテンローラ、及び可動搬送ローラの回転に伴って、テープカセット３０内の印字テープ５７及びインクリボン６０が搬送され、サーマルヘッド１０によってインクリボン６０を使用した印字テープ５７への印字が行われる。
【００２０】
排出スリット１１１（図１参照）の右側には、カット機構（図示外）が設けられている。カット機構は、印字済みのテープを所定位置で切断する。印字済みのテープは、排出スリット１１１から排出される。図２に示すように、テープ印字装置１の後部には、電池ケース５３が配置されている。電池ケース５３は、上カバー２０１と下カバー２０２との間に挟まれ、保持される。電池ケース５、上カバー２０１、及び下カバー２０２は何れも樹脂からなり、金型を用いた射出成型により形成される。電池ケース５３は、前方に向かって凹設されている。電池ケース５３の前方に凹んだ部分における電池が装着される面を電池装着面５３１という。電池ケース５３は、図示外の電池カバーによって後部が覆われており、電池カバーを取り外した場合に電池装着面５３１が露出する。この場合、ユーザは電池を電池装着面５３１に着脱可能になる。
【００２１】
図１及び図４を参照して、テープカセット３０について説明する。テープカセット３０は、内部に収納されるテープの種類、及び、インクリボンの有無などを適宜変更することによって、前述のサーマルタイプ、レセプタタイプ、ラミネートタイプ、チューブタイプ等に実装可能な汎用カセットである。図４では、一例として、レセプタタイプに実装されたテープカセット３０を示している。
【００２２】
図１に示すように、テープカセット３０は、その筐体であるカセットケース３１を備えている。カセットケース３１は、全体としては平面視で丸みを帯びた角部を有する略長方体状（箱型）である。カセットケース３１は、上ケース３１１と下ケース３１２とを含む。下ケース３１２は、カセットケース３１の底面３０２を形成する底板３０６を含む。上ケース３１１は、カセットケース３１の上面３０１を形成する上板３０５を含み、下ケース３１２の上部に固定される。
【００２３】
カセットケース３１は、テープカセット３０のテープ種類にかかわらず、同一の幅（上下方向の長さが同一）に形成された４つの角部３２１〜３２４を有する。以下の説明では、左後方の角部を第一角部３２１、右後方の角部を第二角部３２２、右前方の角部を第三角部３２３、左前方の角部を第四角部３２４という。第一〜第三角部３２１〜３２３は、平面視で直角をなすようにカセットケース３１の側面から外側方向に突出している。第四角部３２４は、テープカセット３０から排出されるテープを案内する排出案内部４９が角に設けられているため、直角をなしていない。角部３２１〜３２３の下面は、テープカセット３０がカセット装着部８に装着されたときに、角支持面８３に配置されたリブ（図示外）によって支持される部位である。
【００２４】
カセットケース３１には、カセットケース３１内に装着されるスプール類を回転可能に支持するための４つの支持孔６５〜６８が設けられている。以下の説明では、カセットケース３１の左側後部、右側後部、右側前部に設けられた孔部を、それぞれ、第一テープ支持孔６５、第二テープ支持孔６６、リボン支持孔６７という。平面視で第一テープ支持孔６５とリボン支持孔６７との間に設けられた孔部を、巻取スプール支持孔６８という。
【００２５】
第一テープ支持孔６５は、第一テープスプール４０（図４参照）を回転可能に支持する。リボン支持孔６７は、リボンスプール４２（図４参照）を回転可能に支持する。巻取スプール支持孔６８は、リボン巻取スプール４４を回転可能に支持する。図４に示すように、レセプタタイプのテープカセット３０の場合、第一テープスプール４０には、印字テープ５７が巻回される。印字テープ５７は、第一テープスプール４０から引き出され、排出スリット１１１に向けて案内される。リボンスプール４２には、インクリボン６０が巻回される。リボン巻取スプール４４は、印字に使用された後のインクリボン６０を巻き取る。図示しないが、例えば、カセットケース３１がラミネートカセットに実装される場合、第二テープ支持孔６６は、印字媒体であるフィルムテープが巻回された第二テープスプールを回転可能に支持する。
【００２６】
カセットケース３１の後部における左右方向の略中央位置には、後方凹部壁３６０が設けられている。後方凹部壁３６０は、底板３０６の一部を底面３０２よりも上方に向けて凹ませた凹部を形成する壁部であり、後方支持面７０１（図３参照）と略対応する形状を有する。後方凹部壁３６０には、後方指標部９００が設けられている。後方指標部９００は、少なくとも一の孔部を含んでテープカセット３０のテープ種類を示す。
【００２７】
後方指標部９００が示すテープ種類は、例えば、テープカセット３０に収納されたテープに関する色情報である。後方指標部９００は、５つのスイッチ端子３１７に対向する、後方凹部壁３６０に形成された孔部又は平面部である。後方指標部９００には、色情報に応じた規定のパターンで孔部（非押圧部９０１）及び面部（押圧部９０２）のいずれかが形成される。
【００２８】
孔部は、平面視円形状であり、テープカセット３０がカセット装着部８に装着された場合に、スイッチ端子３１７を押圧しない非押圧部９０１として機能する。非押圧部９０１に対向するスイッチ端子３１７は、スイッチ端子３１７が非押圧部９０１に挿通され、オフ状態となる。
【００２９】
面部は、テープカセット３０がカセット装着部８に装着された場合に、スイッチ端子３１７を押圧する押圧部９０２として機能する。押圧部９０２は、後方凹部壁３６０の一部であって、スイッチ端子３１７に対向する面形状を有する。押圧部９０２に対向するスイッチ端子３１７は、スイッチ端子３１７が押圧部９０２に接触してオン状態となる。
【００３０】
テープ印字装置１のＣＰＵ（図示外）は、後方指標部９００によって選択的に押圧されるスイッチ端子３１７のオン・オフ状態の組合せに基づいて、色情報を特定できる。詳細には、テープ印字装置１のＲＯＭ等の記憶装置には、データテーブルが記憶されている。このデータテーブルでは、予め定められた規定のパターン（孔部及び面部の組合せ）が、それぞれ対応するスイッチ端子３１７の検出パターン（オフ状態及びオン状態の組合せ）に置き換えられて、色情報と対応付けられている。テープ印字装置１のＣＰＵは、記憶装置に記憶されたデータテーブルを参照して、５つのスイッチ端子３１７のオン・オフの組合せに対応する色情報を特定する。特定された色情報は、例えば、ＰＣに送信され、ＰＣに接続されたディスプレイにテープの色が表示される。
【００３１】
図５〜図１１を参照して、後方支持面７０１の周辺構造について詳述する。なお、図８は、検出スイッチユニット３１３が配置された状態を表し、図６及び図７は、検出スイッチユニット３１３が配置されていない状態を表している。以下の説明では、カセット装着部８の底面（キャビティ８０、角支持面８３、及び後方支持面７０１）を形成する壁部を壁部７０という。壁部７０のうち、後方支持面７０１の反対側の面を反対面７０２という（図７参照）。
【００３２】
壁部７０から上方に突出する５つのスイッチ端子３１７は、検出スイッチユニット３１３に設けられており、上方に向かって弾性付勢されている。図５に示すように、検出スイッチユニット３１３本体は、壁部７０（図３参照）の下側（反対面７０２側）に配置されている。スイッチ端子３１７が非押圧部９０１（図４参照）に挿通された場合、又は、テープカセット３０がカセット装着部８に装着されていない場合、スイッチ端子３１７は、検出スイッチユニット３１３から上方に突出してオフ状態となる。スイッチ端子３１７が押圧部９０２（図４参照）によって押圧された場合、スイッチ端子３１７が検出スイッチユニット３１３内に向かって退入してオン状態となる。
【００３３】
図６に示すように、後方支持面７０１には、上下方向に壁部７０を貫通する３つの貫通孔７２１，７２２が設けられている。貫通孔７２１は、左右方向の幅を有して後方支持面７０１の前端部から後方に延び、後端部において左側に向かっている。貫通孔７２２は、貫通孔７２１の後端部の右側に設けられた平面視円形状の孔である。
【００３４】
図７に示すように、壁部７０の反対面７０２には、下方に向かって立設されたフック７３３が設けられている。フック７３３は、支柱部８３１と突出部８３２とを備えている。支柱部８３１は、貫通孔７２１の前側から下方に立設されている。突出部８３２は、支柱部８３１の先端（下端）から後方に向かって突出している。
【００３５】
壁部７０の反対面７０２には、下方に向かってアーチ状に立設された一対のフック７３１，７３２が設けられている。フック７３１は、反対面７０２の左後部に設けられている。フック７３２は、反対面７０２の右後部に設けられている。フック７３１，７３２は、左右方向に対向している。以下の説明では、フック７３１，７３２の間に向かう方向を内側方向といい、内側方向の反対方向を外側方向という。
【００３６】
フック７３１は、支柱部８１１と突出部８１２とを備えている。支柱部８１１は、前後方向に離間した２つの基端部８１１Ａ，８１１Ｂから下方に延びるアーチ状である。突出部８１２は、支柱部８１１の先端（下端）における前後方向の中心から内側方向に突出する。フック７３２は、支柱部８２１と突出部８２２とを備えている。支柱部８２１は、基端部８２１Ａ，８２１Ｂから下方に延びるアーチ状である。突出部８２２は、支柱部８２１の先端（下端）における前後方向の中心から内側方向に突出する。
【００３７】
図６及び図７に示すように、壁部７０には、壁部７０を貫通する２つの矩形孔８４１，８４２が設けられている。矩形孔８４１，８４２は左右方向に長い矩形状である。矩形孔８４１は、フック７３１における２つの基端部８１１Ａ，８１１Ｂの間における中心（より詳細には、基端部８１１Ａ，８１１Ｂが対向する前後方向に直交する左右方向の中心。）から内側方向と外側方向とに延びる孔部である。同様に、矩形孔８４２は、フック７３２における２つの基端部８２１Ａ，８２１Ｂの間における中心から内側方向と外側方向とに延びる孔部である。
【００３８】
図７に示すように、壁部７０の反対面７０２の後端部の左右方向中央には、壁部８９が下方に向かって立設されている。壁部８９は、左右方向に延び、左右の端部が前方に向かって延びている。壁部８９の左右の端部の前端は、検出スイッチユニット３１３の後端に当接又は近接する（図５参照）。
【００３９】
検出スイッチユニット３１３についてより詳細に説明する。図５及び図１０に示すように、検出スイッチユニット３１３は、左右方向の中央部が前方に突出した箱状である。検出スイッチユニット３１３は、反対面７０２において、フック７３１，７３２，７３３によって保持される。このとき、フック７３１，７３２，７３３の突出部８１２，８２２，８３２が、検出スイッチユニット３１３の底面に引っかかる（図５及び図９参照）。図８及び図９に示すように、検出スイッチユニット３１３は、矩形孔８４１，８４２の内側方向の端部を塞ぐ。より詳細には、前後左右方向において、検出スイッチユニット３１３は、矩形孔８４１，８４２の下側（図８の奥行き側）に位置している。図９に示すように、矩形孔８４１，８４２と検出スイッチユニット３１３とは、上下方向においてやや離間している。しかし、検出スイッチユニット３１３が設けられていない場合に比べて、矩形孔８４１，８４２から下方に繋がる空間を狭めるように、矩形孔８４１，８４２の内側方向の端部が検出スイッチユニット３１３によって塞がれている。同様に、検出スイッチユニット３１３は、貫通孔７２１，７２２も塞いでいる。
【００４０】
前述したように、検出スイッチユニット３１３は、上方に延びる５つのスイッチ端子３１７を備えている。図８に示すように、４つのスイッチ端子３１７は左右方向に並んでいる。残る１つのスイッチ端子３１７は、右から２番目のスイッチ端子３１７の前側に配置されている。検出スイッチユニット３１３がフック７３１，７３２，７３３によって保持された状態では、最も右側のスイッチ端子３１７は、壁部７０の下側から、貫通孔７２２を介して後方支持面７０１の上側に突出している。他の４つのスイッチ端子３１７は、壁部７０の下側から、貫通孔７２１を介して後方支持面７０１の上側に突出している。
【００４１】
図５に示すように、検出スイッチユニット３１３には、下方に延びる６本の電極３１４が接続されている。４本の電極３１４は、検出スイッチユニット３１３の後端部に左右方向に並べて設けられている。１本の電極３１４は、検出スイッチユニット３１３の左前部に設けられている。１本の電極３１４は、検出スイッチユニット３１３の右前部に設けられている。電極３１４は、スイッチ端子３１７等、検出スイッチユニット３１３内部の回路に電気的に接続されており、回路への電圧の供給、及びスイッチ端子３１７のオン・オフ信号の出力に使用される。図９に示すように、６本の電極３１４には、夫々、ハーネス３１５が、例えば、はんだ付け又はかしめ接続によって電気的に接続されている。ハーネス３１５は、下方に向かって延びる。ハーネス３１５は、後述する案内壁５３６に案内されて、制御基板（図示外）に接続されている。なお、図９においては、制御基板に向かうハーネス３１５の途中までを図示している。
【００４２】
電池ケース５３について説明する。以下の説明では、フック７３１，７３２の基端部から先端部に向かう下方向を「立設方向」という場合がある。また、電池装着面５３１（図２参照）の反対側の面を反対面５３２という。図５、図９及び図１０に示すように、反対面５３２には、上下方向の幅を有して前方に向かって突出する板状の一対の突出壁５３３，５３４が設けられている。突出壁５３３，５３４は、左右方向に対向している。図１０に示すように、対向する突出壁５３３，５３４の夫々の内側面には、夫々、２つの支持壁５３５が接続されている。支持壁５３５は、左右方向の幅を有する壁部であり、反対面５３２から前方に延び、前方に向かうほど左右方向の幅が漸減する。支持壁５３５が設けられていることによって、支持壁５３５が設けられていない場合に比べて、突出壁５３３，５３４の左右方向の強度が大きくなる。
【００４３】
図９に示すように、突出壁５３３は、フック７３１の外側方向側の面に近接している。突出壁５３４は、フック７３２の外側方向側の面に近接している。突出壁５３３，５３４は、夫々、矩形孔８４１，８４２の外側方向の端部を塞ぐ。より詳細には、図８及び図９に示すように、前後左右方向において、突出壁５３３，５３４は、矩形孔８４１，８４２の下側（図８の奥行き側）に位置している。矩形孔８４１，８４２と突出壁５３３，５３４とは、上下方向にやや離間しているが、突出壁５３３，５３４が設けられていない場合に比べて、矩形孔８４１，８４２から下方に繋がる空間を狭めるように、矩形孔８４１，８４２の外側方向の端部が塞がれている。
【００４４】
図１０に示すように、突出壁５３３，５３４の間、且つ上下方向において突出壁５３３，５３４の下側には、案内壁５３６が設けられている。案内壁５３６は、左右方向の幅を有し、前方に向かって突出する板状部材である。案内壁５３６には、複数（３つ）のスリット５３７が設けられている。スリット５３７は、案内壁５３６の前端部から後方に向かって設けられている。図５及び図９に示すように、案内壁５３６は、検出スイッチユニット３１３より立設方向側に位置する。
【００４５】
図９に示すように、立設方向において、突出壁５３３，５３４の下端部の位置は、フック７３１，７３２の先端部（下端部）よりも立設方向側に位置する。６本のハーネス３１５は、一対の突出壁５３３，５３４の間を検出スイッチユニット３１３から立設方向に延びる。ハーネス３１５は、案内壁５３６のスリット５３７に保持されて案内される。
【００４６】
フック７３１，７３２の形成方法及び矩形孔８４１，８４２が形成される理由について説明する。図１１に示すように、フック７３１，７３２は、金型の駒９６によって形成される。金型の駒９６は、上駒９６１と下駒９６２とを備えている。上駒９６１は、フック７３１，７３２の支柱部８１１，８２１のアーチの内側の面、突出部８１２，８２２の上面、及び壁部７０の後方支持面７０１を少なくとも形成する。下駒９６２は、フック７３１，７３２の支柱部８１１，８２１のアーチの外側の面、突出部８１２，８２２の下面、及び壁部７０の反対面７０２を少なくとも形成する。上駒９６１が、フック７３１，７３２の支柱部８１１，８２１のアーチの内側の面と、突出部８１２，８２２の上面とを形成するためには、上駒９６１は、壁部７０よりも下側に突出する必要がある。このため、壁部７０に上駒９６１を配置するための孔部が形成される。該孔部が、矩形孔８４１，８４２である。すなわち、矩形孔８４１，８４２は、フック７３１，７３２を金型の駒９６によって形成するために形成される孔部である。
【００４７】
以上のように本実施形態におけるテープ印字装置１が形成される。本実施形態では、突出壁５３３，５３４と検出スイッチユニット３１３とは、夫々、矩形孔８４１，８４２の少なくとも一部を塞ぐ。このため、図８に示すように、上側から見た場合に、検出スイッチユニット３１３と突出壁５３３，５３４とによって塞がれていない場合（図６参照）に比べて、検出スイッチユニット３１３と突出壁５３３，５３４とフック７３とが設けられていない隙間が小さくなる。このため、例えば、カセット装着部８に液体が侵入した場合に、矩形孔８４１，８４２から液体がテープ印字装置１の内部に侵入する可能性を低減できる。
【００４８】
なお、図９に示すように、検出スイッチユニット３１３と突出壁５３３，５３４とは、矩形孔８４１，８４２から上下方向に僅かに離間しているが、図８に示すように、矩形孔８４１，８４２の下側（図６の奥行き側）に、フック７３１，７３２、検出スイッチユニット３１３、及び突出壁５３３，５３４のいずれかが位置しているので、矩形孔８４１，８４２から下側に侵入しようとする液体を、フック７３１，７３２、検出スイッチユニット３１３、及び突出壁５３３，５３４の上側の面で保持することができる。よって、矩形孔８４１，８４２から液体がテープ印字装置１の内部に侵入する可能性を低減できる。また、検出スイッチユニット３１３と突出壁５３３，５３４とが設けられていない場合に比べて矩形孔８４１，８４２から下方に繋がる空間を狭めるように、検出スイッチユニット３１３と突出壁５３３，５３４とが矩形孔８４１，８４２を塞いでいる。空間が狭いので、空間を通過しようとする液体自身の表面張力によって、液体が矩形孔８４１，８４２から下側に侵入し難くなる。よって、矩形孔８４１，８４２から液体がテープ印字装置１の内部に侵入する可能性を低減できる。
【００４９】
また、フック７３１，７３２はアーチ状であり、２つの基端部でフック７３１，７３２全体を保持することができる。このため、１つの基端部でフック全体を保持する場合に比べて、フック７３１，７３２の支柱部８１１，８２１の左右方向の幅を小さくしても、フック７３１，７３２全体を保持できる。左右方向の幅を小さくできるので、フック７３１，７３２は撓み易い。このため、テープ印字装置１の製造時にフック７３１，７３２を撓ませて検出スイッチユニット３１３を装着する作業の作業性が向上する。
【００５０】
また、一対のフック７３１，７３２の外側方向側から突出壁５３３，５３４がフック７３１，７３２に近接するので、フック７３１，７３２が外側方向に撓むことを防止できる。このため、例えば、テープ印字装置１が落下した場合等の衝撃によって、一対のフック７３１，７３２が外側方向に撓んで検出スイッチユニット３１３がフック７３１，７３２，７３３から外れることを防止できる。すなわち、テープ印字装置１の製造時にフック７３１，７３２を撓ませて検出スイッチユニット３１３を装着する作業の作業性を向上しつつ、テープ印字装置１の製造後には、検出スイッチユニット３１３がフック７３１，７３２，７３３から外れることを防止できるのである。なお、仮にフック７３３が前方に撓んで、フック７３３の検出スイッチユニット３１３への引っかかりが解除されても、一対のフック７３１，７３２によって検出スイッチユニット３１３を保持できる。
【００５１】
また、一対のフック７３１，７３２によって検出スイッチユニット３１３を保持できるので、例えば、検出スイッチユニット３１３を下方から押える部材を追加して検出スイッチユニット３１３を保持する必要がない。このため、コストダウンができる。
【００５２】
また、図９に示すように、一対の突出壁５３３，５３４の間にハーネス３１５が位置している。このため、一対の突出壁５３３，５３４は、立設方向に直交する左右方向へのハーネス３１５の移動を規制することができる。よって、ハーネス３１５が立設方向に適切に案内される。また、ハーネス３１５が左右方向にずれないのでハーネス３１５が他の部位に引っかかってハーネス３１５に負荷がかかることを防止できる。さらに、突出部５３３，５３４がハーネス３１５を立設方向に適切に案内するので、例えば、案内壁５３６を形成しないことも可能である。案内壁５３６を形成しないことも可能であるので、金型構造を簡略化し、コストダウンを図ることができる。
【００５３】
また、突出壁５３３，５３４が電池ケース５３に設けられているので、電池ケース５３を、突出壁５３３，５３４と別体で形成する場合に比べてコストダウンすることができる。
【００５４】
また、案内壁５３６が設けられているので、ハーネス３１５をさらに適切に案内することができる。また、案内壁５３６と突出壁５３３，５３４とを別体で形成する場合に比べてコストダウンすることができる。
【００５５】
上記実施形態において、矩形孔８４１，８４２は本発明の「孔部」の一例である。スイッチ端子３１７は本発明の「検出端子」の一例である。突出壁５３３，５３４は本発明の「突出部」の一例である。案内壁５３６は本発明の「突出部」の一例である。電池ケース５３は本発明の「部材」の一例である。
【００５６】
なお、本発明は上記の実施形態に限定されるものではなく、種々の変更が可能である。例えば、突出壁５３３，５３４はフック７３１，７３２に当接してもよい。また、突出壁５３３，５３４がフック７３１，７３２に近接する場合、例えば、突出壁５３３，５３４は、フック７３１，７３２の可撓範囲内に位置していればよい。この場合でも、上述の効果と同様の効果を奏する。また、例えば、突出壁５３３，５３４とフック７３１，７３２との間の長さは、突出部８１２，８２２が支柱部８１１，８２１から突出する長さ以下でもよい。この場合、突出壁５３３，５３４とフック７３１，７３２との間の長さが、突出部８１２，８２２が支柱部８１１，８２１から突出する長さより大きい場合に比べて、一対のフック７３１，７３２が外側方向に撓んで検出スイッチユニット３１３がフック７３１，７３２，７３３から外れることをより確実に防止できる。
【００５７】
また、突出壁５３３，５３４と検出スイッチユニット３１３とは、夫々、矩形孔８４１，８４２の少なくとも一部を塞いでいればよく、塞ぐ態様は本実施形態に限定されない。例えば、突出壁５３３，５３４が矩形孔８４１，８４２に接触してもよい。また、検出スイッチユニット３１３が矩形孔８４１，８４２に接触していてもよい。
【００５８】
突出壁５３３，５３４と案内壁５３６とが電池ケース５３に設けられていたが、電池ケース５３ではなく、電池ケース５３以外の部材に設けられていてもよい。例えば、突出壁５３３，５３４と案内壁５３６との少なくとも一方で形成された部材を設けてもよい。
【符号の説明】
【００５９】
１    テープ印字装置
８    カセット装着部
３０    テープカセット
５３    電池ケース
７０    壁部
７３    フック
３１３    検出スイッチユニット
３１５    ハーネス
３１７    スイッチ端子
５３２，７０２    反対面
５３３，５３４    突出壁
５３６    案内壁
７０１    後方支持面
７２１，７２２    貫通孔
７３１，７３２，７３３    フック
８４１，８４２    矩形孔
【図１】
2014231190.tif 000003
【図２】
2014231190.tif 000004
【図３】
2014231190.tif 000005
【図４】
2014231190.tif 000006
【図５】
2014231190.tif 000007
【図６】
2014231190.tif 000008
【図７】
2014231190.tif 000009
【図８】
2014231190.tif 000010
【図９】
2014231190.tif 000011
【図１０】
2014231190.tif 000012
【図１１】
2014231190.tif 000013